(57)【要約】【課題】モーターからの振動を吸収し、振動音を低くすること。【解決手段】モーター３とモーター取付金具２の間に断面がＨ型形状の防振ゴム８とねじ取付部がバーリング形状からなる固定金具９を入れた構成としている。これによって、モーターの振動音を低減することができる。【選択図】　図１
2004060724.tif 000002
【特許請求の範囲】
【請求項１】
モーターと、このモーターを取付けるモーター取付金具と、前記モーターに連結したファンとを備え、前記モーターとモーター取付金具の間に断面がＨ型形状の防振ゴムとねじ取付部がバーリング形状からなる固定金具を入れた構成としたモーター取付装置。
【請求項２】
モーターと、このモーターを取付けるモーター取付金具と、前記モーターに連結したファンとを備え、前記モーターとモーター取付金具の間に断面がＨ型形状の防振ゴムを入れ、断面がコ型形状からなる固定金具を入れた構成としたモーター取付装置。
【請求項３】
モーターと、このモーターを取付けるモーター取付金具と、前記モーターに連結したファンとを備え、前記モーターとモーター取付金具の間に断面がＨ型形状の防振ゴムと外周が縁立て形状からなる固定金具を入れた構成としたモーター取付装置。
【請求項４】
モーターと、このモーターを取付けるモーター取付金具と、前記モーターに連結したファンとを備え、前記モーターとモーター取付金具の間に断面がＨ型形状の防振ゴムととねじ取付部が凸形状からなる樹脂製の固定プレートを入れた構成としたもモーター取付装置。
【発明の詳細な説明】
【０００１】
【発明の属する技術分野】
本発明は、例えばガス温風暖房器のモーターの取付構成に関する。
【０００２】
【従来の技術】
従来のガス温風暖房器のモーターの取付構成を図１０〜図１１に示す。１は風路ブロックであり、風路ブロック１の右側壁にモーター取付金具２が取り付く。モーター３はモーター取付金具２にねじ４で固定される。ファン５の右側のボス５ａはモーター３のシャフト３ａとねじ６で固定し、ファン５の左側のシャフト５ｂは、軸受７と嵌合し、軸受７は風路ブロック１の左側壁に取り付く。モーター３のシャフト３ａが回転することによって、動力がファン５に伝わり、ファン５が回転する。ファン５の左側のシャフト５ｂの回転は軸受６によって保持している。
【０００３】
【発明が解決しようとする課題】
しかしながら、従来のモーター３はモーター取付金具２の取付構成ではモーター３の振動が直接モーター取付金具２に伝わり、振動音が大きいという課題を有していた。
【０００４】
【課題を解決するための手段】
本発明は上記課題を解決するために、モーターとモーター取付金具の間に断面がＨ型形状の防振ゴムとねじ取付部がバーリング形状からなる固定金具を入れた構成としたものである。この手段によれば、モーターとモーター取付金具の間に断面がＨ型形状の防振ゴムが介在しているので、モーターの振動がモーター取付金具に直接伝わらず、振動音は小さくなる。
【０００５】
【発明の実施の形態】
本発明はモーターとモーター取付金具の間に断面がＨ型形状の防振ゴムとねじ取付部がバーリング形状からなる固定金具を入れた構成としたものである。そして、モーターとモーター取付金具の間に断面がＨ型形状の防振ゴムが介在しているので、モーターの振動がモーター取付金具に直接伝わらず、振動音は小さくなる。
【０００６】
又、モーターとモーター取付金具の間に断面がＨ型形状の防振ゴムを入れ、断面がコ型形状からなる固定金具を入れた構成としたものである。そして、モーターとモーター取付金具の間に断面がＨ型形状の防振ゴムが介在しているので、モーターの振動がモーター取付金具に直接伝わらず、振動音は小さくなる。
【０００７】
又、モーターとモーター取付金具の間に断面がＨ型形状の防振ゴムと外周が縁立て形状からなる固定金具を入れた構成としたものである。そして、モーターとモーター取付金具の間に断面がＨ型形状の防振ゴムが介在しているので、モーターの振動がモーター取付金具に直接伝わらず、振動音は小さくなる。
【０００８】
又、モーターとモーター取付金具の間に断面がＨ型形状の防振ゴムととねじ取付部が凸形状からなる樹脂製の固定プレートを入れた構成としたものである。そして、モーターとモーター取付金具の間に断面がＨ型形状の防振ゴムが介在しているので、モーターの振動がモーター取付金具に直接伝わらず、振動音は小さくなる。
【０００９】
【実施例】
以下、本発明の実施例について図面を用いて説明する。
【００１０】
（実施例１）
図１〜図３は本発明の実施例１におけるモーター取付装置の構成を示すものである。図面中の同一符号のものは同一構成要素であり、説明は省略する。８は断面がＨ型形状からなる防振ゴムであり、９はゴム保持金具である。モーター取付金具２に防振ゴム８が取り付き、ゴム保持金具９が防振ゴム８との内側に取り付く。ねじ４はモーター３の穴３ａとゴム保持金具９を固定させる。ゴム保持金具９のバーリング高さＨにより、防振ゴム８の圧縮代を一定とさせる。
【００１１】
（実施例２）
図４〜図７は本発明の実施例１におけるモーター取付装置の構成を示すものである。８は防振ゴムであり、９は断面がコ型形状からなるゴム保持金具である。モーター取付金具２に防振ゴム８が取り付き、ゴム保持金具９が防振ゴム８との内側に取り付く。ねじ４はモーター３の穴３ａとゴム保持金具９を固定させる。ゴムねじ４の首下長さＬにより、防振ゴム８の圧縮代を一定とさせる。
【００１２】
（実施例３）
図７〜図９は本発明の実施例１におけるモーター取付装置の構成を示すものである。８は防振ゴムであり、９は外周が縁立て形状からなるゴム保持固定金具である。モーター取付金具２に防振ゴム８が取り付き、ゴム保持金具９が防振ゴム８との内側に取り付く。ねじ４はモーター３の穴３ａとゴム保持金具９を固定させる。ゴム保持金具９の外周の縁立て高さＭとモーター３のボス部３ｂにより、防振ゴム８の圧縮代を一定とさせる。
【００１３】
（実施例４）
図１〜図３は本発明の実施例４におけるモーター取付装置の構成を示すものである。８は防振ゴムであり、９は樹脂製のゴム保持プレートである。モーター取付金具２に防振ゴム８が取り付き、ゴム保持金具９が防振ゴム８との内側に取り付く。ねじ４はモーター３の穴３ａとゴム保持金具９を固定させる。ゴム保持プレート９の凸形状のねじ締付長さＨにより、防振ゴム８の圧縮代を一定とさせる。
【００１４】
【発明の効果】
以上のように本発明によれば、モーターとモーター取付金具の間に断面がＨ型形状の防振ゴムとねじ取付部がバーリング形状からなる固定金具を入れた構成として、モーターとモーター取付金具の間に断面がＨ型形状の防振ゴムが介在しているので、モーターの振動がモーター取付金具に直接伝わらず、振動音は小さくすることができる。
【００１５】
又、モーターとモーター取付金具の間に断面がＨ型形状の防振ゴムを入れ、断面がコ型形状からなる固定金具を入れた構成として、モーターとモーター取付金具の間に断面がＨ型形状の防振ゴムが介在しているので、モーターの振動がモーター取付金具に直接伝わらず、振動音は小さくすることができる。
【００１６】
又、モーターとモーター取付金具の間に断面がＨ型形状の防振ゴムと外周が縁立て形状からなる固定金具を入れた構成として、モーターとモーター取付金具の間に断面がＨ型形状の防振ゴムが介在しているので、モーターの振動がモーター取付金具に直接伝わらず、振動音は小さくすることができる。
【００１７】
又、モーターとモーター取付金具の間に断面がＨ型形状の防振ゴムととねじ取付部が凸形状からなる樹脂製の固定プレートを入れた構成としたものである。
【００１８】
そして、モーターとモーター取付金具の間に断面がＨ型形状の防振ゴムが介在しているので、モーターの振動がモーター取付金具に直接伝わらず、振動音は小さくなる。
【図面の簡単な説明】
【図１】本発明の実施例１及び４におけるモーター取付装置の正面断面図
【図２】同取付装置のＡ矢視図
【図３】同取付装置の部分詳細断面図
【図４】同取付装置の正面断面図
【図５】同取付装置のＡ矢視図
【図６】同取付装置の部分詳細断面図
【図７】同取付装置の他の部分詳細断面図
【図８】同取付装置の正面断面図
【図９】同取付装置のＡ矢視図
【図１０】同取付装置の部分詳細断面図
【図１１】従来のモーター取付装置の正面断面図
【図１２】同取付装置における右側面図
【符号の説明】
２　モーター取付金具
３　モーター
４　ねじ
５　ファン
７　軸受
８　防振ゴム
９　防振ゴム固定金具
【図１】
2004060724.tif 000003
【図２】
2004060724.tif 000004
【図３】
2004060724.tif 000005
【図４】
2004060724.tif 000006
【図５】
2004060724.tif 000007
【図６】
2004060724.tif 000008
【図７】
2004060724.tif 000009
【図８】
2004060724.tif 000010
【図９】
2004060724.tif 000011
【図１０】
2004060724.tif 000012
【図１１】
2004060724.tif 000013
【図１２】
2004060724.tif 000014